(57)【特許請求の範囲】
【請求項１】
反応槽内に設置した回転軸の水面部に、この回転軸とともに稼動する消泡装置を設けたスカム除去装置であって、該消泡装置は、中心が回転軸に固定されて平面視が渦巻き状の巻き込み羽根からなり、この巻き込み羽根の回転により回転軸付近に浮遊するスカムを液中へ巻き込み除去するものであり、かつ前記回転軸の下部には、横向き流発生用の上段羽根と、下向き流発生用の下段羽根とからなり、反応槽の底部を攪拌する攪拌羽根を設けたことを特徴とするスカム除去装置。
【発明の詳細な説明】
【技術分野】
【０００１】
本発明は、下水処理場の反応槽の水面に発生するスカムを効率よく取り除くことができるスカム除去装置に関するものである。
【背景技術】
【０００２】
従来から、下水等の処理方法として、特許文献１に示すように、曝気ゾーンの前段において、原水を嫌気状態あるいは空気を吹かさずに溶存酸素のない無酸素状態で撹拌して、より高度に下水を処理するシステムが開発され、使用に供されている。
【０００３】
しかしながら、嫌気状態あるいは無酸素状態にある反応槽では、水面にスカムと称される汚泥を伴った泡が発生し、種々の問題を生じていた。即ち、このスカムは、ＣＯ２ガスを伴った汚泥が浮上したものであるので、そのまま放置しておくと汚泥が硬化して槽の水面一面を厚いスカム層で覆ってしまい、処理水の状態を目視することができないという問題点や、長期に放置すると臭気を発したり、粘着性が生じて浮渣となり散水による消泡を阻害するという問題点や、美観を損なう等の問題点が生じていた。
また、好気槽と無酸素槽、嫌気槽と無酸素槽の隔壁はそれぞれ溶存酸素や混合液の流通を防止するため水面部は仕切られていて、処理水の流通は隔壁の下部を通じて行う構造となっており、水面に発生したスカムの流れ出る場所がないため、反応槽の水面上により滞留しやすいものであった。
【０００４】
そこで、これまではスカム除去方法として、発生して間のないスカムに散水して消泡したり、下流槽との隔壁に設けた水面付近の開口用の堰板を一時開けて、スカムを曝気槽側へ流し込む等の対策により対応していたが、余分な作業を強いられることとなり作業性に劣るという問題点や、常に散水するのは水資源、エネルギーの無駄使いになるという問題点や、スカムの曝気槽側への流し込み作業は手動で行うため人員増となるとともに、一時的には流通することによって処理効率の低下も生じるという問題点があった。
【特許文献１】特許第２９１２９０５号公報
【発明の開示】
【発明が解決しようとする課題】
【０００５】
本発明は上記のような問題点を解決して、余分な作業や人員を発生させることなく、水面に発生するスカムを連続的に自動的かつ効率的に、しかも低コストで取り除くことができるスカム除去装置を提供することを目的として完成されたものである。
【課題を解決するための手段】
【０００６】
上記課題を解決するためになされた本発明のスカム除去装置は、反応槽内に設置した回転軸の水面部に、この回転軸とともに稼動する消泡装置を設けたスカム除去装置であって、該消泡装置は、中心が回転軸に固定されて平面視が渦巻き状の巻き込み羽根からなり、この巻き込み羽根の回転により回転軸付近に浮遊するスカムを液中へ巻き込み除去するものであり、かつ前記回転軸の下部には、横向き流発生用の上段羽根と、下向き流発生用の下段羽根とからなり、反応槽の底部を攪拌する攪拌羽根を設けたことを特徴とするものである。
【０００７】
【０００８】
【０００９】
【００１０】
【００１１】
【００１２】
【発明の効果】
【００１３】
請求項１に係る発明では、反応槽内に設置した回転軸の水面部に、この回転軸とともに稼動する消泡装置を設けたので、回転軸の回転に伴い消泡装置も自動的に稼動して回転軸付近に浮遊するスカムを除去することができる。また、該消泡装置は、中心が回転軸に固定されて平面視が渦巻き状の巻き込み羽根からなり、この巻き込み羽根の回転により回転軸付近に浮遊するスカムを液中へ巻き込み除去するものとしたので、撹拌羽根の回転に伴い巻き込み羽根が自動的に回転して回転軸付近に浮遊するスカムを除去することができる。さらに、前記回転軸の下部に、横向き流発生用の上段羽根と、下向き流発生用の下段羽根とからなり、反応槽の底部を攪拌する２段式の攪拌羽根を設けたので反応槽の底部に汚泥が堆積することを防止でき、その結果、原水中の窒素やリンの除去が促進され、また糸状菌の発生が抑制されて汚泥の沈降性を安定化させることができる。
【００１４】
【００１５】
【００１６】
【００１７】
【００１８】
【００１９】
【発明を実施するための最良の形態】
【００２０】
以下に、図面を参照しつつ本発明の好ましい実施の形態を示す。
図１は、下水等の原水を高度処理するための処理槽を示す概略全体図である。この処理槽１は、幅と深さが約１０ｍ、長さが約５０ｍの深槽タイプであり、高度処理をするために処理槽１の前段部を嫌気状態とした嫌気ゾーンＢ、溶存酸素のない状態とした無酸素ゾーンＣとしてある。また、Ａは曝気ゾーンである。なお、嫌気ゾーンＢと無酸素ゾーンＣとは隔壁２により、また無酸素ゾーンＣと曝気ゾーンＡとは隔壁３により、それぞれ隔離されている。
なお、図１に示されるように、曝気ゾーンＡで曝気され硝化された処理済み水の一部を、硝化液として無酸素ゾーンＣへフィードバックする循環路２０が接続されており、これにより脱窒が行われるよう構成されている。
【００２１】
曝気ゾーンＡの幅方向の中央部には垂直にバッフルプレート（図示せず）が設けられており、また、その片側流路の中間水深部には散気装置４が設置され、中段で曝気してバッフルプレートの両側を上下に旋回する流れを作る構造となっている。なお、前記散気装置４は、例えば２〜３ｍ間隔で設置した梁（図示せず）に載置されている。
【００２２】
前記の嫌気ゾーンＢと無酸素ゾーンＣ内には、撹拌羽根５を各ゾーン底面の中心部に設けた構造となっている。この撹拌羽根５は、原水中の窒素やリンの除去を促進し、また糸状菌の発生を抑制して汚泥の沈降性を安定化させるように、汚泥を撹拌することを目的に設置されるものである。
図２に示されるように、撹拌羽根５は横向き流発生用のほぼ直線状の上段羽根５ａと、下向き流発生用のほぼ直線状の下段羽根５ｂからなる２段羽根であり、このような２段羽根を回転軸６の先端に装着することで底部に汚泥が堆積しないよう構成されている。
【００２３】
また、撹拌羽根５の駆動源であるモータ７は、槽本体１の上面外部に設置されていて、撹拌羽根５を通常回転、間欠回転、減速回転、逆回転等を自在としている。このように、モータ７が槽外部にあるため保守管理が容易なうえ、定期的にモータ７を逆回転等すれば羽根に付着した付着物を容易に剥離処理できる。
更に、撹拌羽根５は１本の長い回転軸６の先端に装着されているため、下水の旋回流によりブレる場合があるが、この場合は回転軸６の先端部を振れ止め部材９を介して槽本体１の底面に固定した構造とすれば、回転軸６がしっかりと固定されて湾曲等することがなくなり、撹拌羽根５のブレも防止されて効率的に混合液を撹拌可能となる。
【００２４】
実施例のものでは、前記撹拌羽根５の回転軸６の水面部に、この回転軸６とともに稼動するスカム除去用の消泡装置８を設けた構造となっている。
この消泡装置８は、図３〜図４に示すように、中心が回転軸６に固定されて平面視が渦巻き状の巻き込み羽根１０からなり、この巻き込み羽根１０の回転により回転軸付近に浮遊するスカムＳを液中へ巻き込み除去するものである。
即ち、回転軸６の回転に伴って液面に浮遊しているスカムＳは自然に回転軸方向に集まってくるため、回転軸６とともに渦巻き状の巻き込み羽根１０を回転させると、スカムＳは巻き込み羽根１０に案内されて更に中心へと向かうとともに、水中へと引き込まれることとなる。その後、スカムＳは最終的に液中の深い場所で解放され、液内において撹拌消滅する。
このように、回転軸６の回転に伴って渦巻き状の巻き込み羽根１０も同時に回転し、これにより回転軸付近に浮遊するスカムＳが自然に液中へ巻き込まれて除去されることとなり、効率的にスカムを除去処理できることとなる。なお、図示のように、前記巻き込み羽根１０を下方に向けて徐々に拡開するように傾斜した羽根で形成しておけば、この羽根によってスカムＳが強制的に下部へ押し込まれるため、より効率よくスカム除去ができ好ましい。
【００２５】
【００２６】
【００２７】
【００２８】
【００２９】
【００３０】
このように、本発明によれば撹拌羽根の回転軸の水面部に、この回転軸とともに稼動する消泡装置を設けた構造とすることで、通常運転を行いながら液面上に浮遊しているスカムを自動的かつ効率的に、しかも低コストで取り除くことができることとなる。さらに、前記回転軸の下部に、横向き流発生用の上段羽根と、下向き流発生用の下段羽根とからなる攪拌羽根を設けたので反応槽の底部に汚泥が堆積することを防止でき、その結果、原水中の窒素やリンの除去が促進され、また糸状菌の発生が抑制されて汚泥の沈降性を安定化させることができる。
【図面の簡単な説明】
【００３１】
【図１】処理槽を示す概略全体図である。
【図２】撹拌羽根の下方部を示す斜視図である。
【図３】撹拌羽根の水面部を示す正面図である。
【図４】撹拌羽根の水面部を示す平面図である。
【符号の説明】
【００３２】
１  処理槽
２  隔壁
３  隔壁
４  散気装置
５  撹拌羽根
６  回転軸
７  モータ
８  消泡装置
９  振れ止め部材
１０  巻き込み羽根
２０  循環路
Ｓ  スカム
【図１】
0005204449.tif 000002
【図２】
0005204449.tif 000003
【図３】
0005204449.tif 000004
【図４】
0005204449.tif 000005